(57)【要約】【課題】切目が形成されている光学フィルムを、ロールを有する搬送装置で搬送する場合において、搬送停止時にロールに架け渡された状態にある切目から光学フィルムのめくれが発生することを防止できる搬送装置を提供する。【解決手段】搬送装置は、離型フィルムを内側にして長尺の光学フィルムが所定角度範囲で架け渡されながら所定方向に移動する単一の搬送方向変更ローラと、搬送方向変更ローラを所定方向に移動させるローラ駆動部と、長尺の光学フィルムの搬送が停止した際に、長尺の光学フィルムの搬送方向変更ローラに架け渡されている部分に切目が停止するか否かを判断する判断部３０３と、判断結果に基づいて、現実に搬送が停止した際に、搬送方向変更ローラに架け渡されている部分に切目が停止しないように、搬送方向変更ローラを所定方向に動かすようにローラ駆動部３０１を制御するローラ駆動制御部３０２を有する。【選択図】図１Ａ
2019135186.tif 000002
【特許請求の範囲】
【請求項１】
長手方向と直交する方向である幅方向に切目を有する長尺の光学フィルムを搬送する搬送装置であって、
前記長尺の光学フィルムは、光学機能フィルムと、当該光学機能フィルムと粘着剤層を介して積層される離型フィルムとを少なくとも有し、前記離型フィルムを除く光学フィルムに切目が形成されており、
前記離型フィルムを内側にして前記長尺の光学フィルムが所定角度範囲で架け渡されながら所定方向に移動する単一の搬送方向変更ローラと、
前記搬送方向変更ローラを所定方向に移動させるローラ駆動部と、
前記長尺の光学フィルムの搬送が停止した際に、前記長尺の光学フィルムの前記搬送方向変更ローラに架け渡されている部分に前記切目が停止するか否かを判断する判断部と、
前記判断部の判断結果に基づいて、現実に搬送が停止した際に、前記搬送方向変更ローラに架け渡されている部分に前記切目が停止しないように、前記搬送方向変更ローラを前記所定方向に動かすように前記ローラ駆動部を制御するローラ駆動制御部と、
を有する、搬送装置。
【請求項２】
前記判断部は、
所定の装置から搬送を停止するための停止信号を受けた場合に、前記長尺の光学フィルムの前記搬送方向変更ローラに架け渡されている部分に前記切目が停止するか否かを判断する、請求項１に記載の搬送装置。
【請求項３】
前記切目は、前記長尺の光学フィルムの長手方向に、一定間隔で形成されている、または、複数の異なる間隔を含むように形成されている、請求項１または２に記載の搬送装置。
【請求項４】
前記長尺の光学フィルムの前記切目が一定間隔で形成される場合において、次の生産に使用される長尺の光学フィルムの前記切目の間隔が、先の生産に使用された切目の間隔から変更された場合に、前記長尺の光学フィルムの搬送が停止した際に、前記ローラに架け渡されている部分に前記切目が停止しないように、前記搬送方向変更ローラの配置を、前記長尺の光学フィルムの平面投影された搬送方向に沿って上流側または下流側に移動させて配置する、請求項１〜３のいずれか１項に記載の搬送装置。
【請求項５】
長手方向と直交する方向である幅方向に切目を有する長尺の光学フィルムを搬送する搬送装置であって、
前記長尺の光学フィルムは、光学機能フィルムと、当該光学機能フィルムと粘着剤層を介して積層される離型フィルムとを少なくとも有し、前記離型フィルムを除く光学フィルムに切目が一定間隔で形成されており、
前記離型フィルムを内側にして前記長尺の光学フィルムが所定角度範囲で架け渡される１つまたは１つ以上の搬送方向変更ローラと、を有し、
次の生産に使用される長尺の光学フィルムの前記切目の間隔が、先の生産に使用された切目の間隔から変更された場合に、前記長尺の光学フィルムの搬送が停止した際に、前記長尺の光学フィルムの前記搬送方向変更ローラに架け渡されている部分に前記切目が停止しないように、前記搬送方向変更ローラの配置を、前記長尺の光学フィルムの平面投影された搬送方向に沿って上流側または下流側に移動させて配置する、搬送装置。
【請求項６】
光学機能フィルムを少なくとも有する第一光学フィルムを光学セルの第一面に貼り合せ、かつ光学機能フィルムを少なくとも有する第二光学フィルムを光学セルの第二面に貼り合せて光学表示パネルを製造する製造装置と、
前記請求項１〜５のいずれか一項に記載の搬送装置と、を備える、光学表示パネルの連続製造システム。
【請求項７】
前記製造装置は、
第一光学フィルムロールから第一長尺光学フィルムを繰り出しながら長尺の第一離型フィルムを残し前記第一長尺光学フィルムを切断して得られる枚葉状の第一光学フィルムを、搬送される前記光学セルの前記第一面に貼り付ける、または、枚葉状の第一光学フィルムを前記光学セルの第一面に貼り付ける、
および／または
第二光学フィルムロールから第二長尺光学フィルムを繰り出しながら長尺の第二離型フィルムを残し前記第二長尺光学フィルムを切断して得られる枚葉状の第二光学フィルムを、前記第一光学フィルムの光軸と前記第二光学フィルムの光軸とが所定の角度配置となるように、搬送される前記光学セルの前記第二面に貼り付ける、または、枚葉状の第二光学フィルムを前記第一光学フィルムの光軸と前記第二光学フィルムの光軸とが所定の角度配置となるように前記光学セルの前記第二面に貼り付ける、請求項６に記載の光学表示パネルの連続製造システム。
【発明の詳細な説明】
【技術分野】
【０００１】
本発明は、切目を有する長尺の光学フィルムを搬送する搬送装置、並びに、光学表示パネルの連続製造方法および連続製造システムに関する。
【背景技術】
【０００２】
多層構造の積層フィルムにおいて、例えば最外層のセパレータを切断せずに積層フィルムを切断する、いわゆるハーフカットの手法が知られている。このハーフカットにおいて、切断された箇所（切目）を外側にしてローラで架け渡す（抱く）と、切目から積層フィルムの「めくれ」（あるいは、切目端部の剥がれ、切目端部の浮き、と称することもある）が発生する。この「めくれ」は、積層フィルムの搬送ラインが停止したとき、積層フィルムの切目がローラに抱かれた位置にあると顕著に発生する。
【０００３】
特許文献１は、光学フィルムを搬送している最中において、特に搬送方向を９０°以上変換する時に発生する「めくれ」を防止することができる剥離防止装置を開示している。
【先行技術文献】
【特許文献】
【０００４】
【特許文献１】特開２００９−１８６９９６号公報
【発明の概要】
【発明が解決しようとする課題】
【０００５】
特許文献１の図７に示す剥離防止装置の場合、押え部材と光学フィルムとの間に隙間があるため、フィルム搬送を停止した時に、光学フィルムがめくれて抑え部材に接触することが懸念される。仮に光学フィルムがめくれて抑え部材に接触した状態で、搬送を再開したら、光学フィルムが押え部材に当たったままめくれてしまい、後に続く光学部材もめくれる。さらに、上記隙間にめくれた光学フィルムが詰まった状態になり、光学フィルムを搬送することができなくなる。
【０００６】
特許文献１の図８に示す剥離防止装置の場合、複数個の小径ローラで光学フィルムを挟みながら搬送する構成であるが、小径ローラ同士の隙間に切目が停止してしまうと、同じくフィルム先端がめくれることが懸念される。仮に光学フィルムがめくれてそのまま搬送を開始すると、小径ローラに接触してめくれがさらに進行する。
【０００７】
特許文献１の図９に示す剥離防止装置の場合、環状シートで光学フィルムを面で挟んでいるため、図７、図８の構成のようなめくれは発生しないが、複雑な装置となってしまう。また、フィルム搬送ラインが停止していない時も常に環状シートが面で光学フィルムと接触した状態であり、光学フィルムが環状シートで擦れてしまう問題が生じる虞がある。
【０００８】
特許文献１の図１０に示す剥離防止装置の場合、エアを吹き付けることで物理的に非接触で光学フィルムを面で挟むことができるため、図７、８のようなめくれの問題や図９のような擦れの問題は発生しないが、やはり複雑な装置となってしまう。また、エアを吹き付けることで製造装置内の気流を乱し、異物を撹拌する虞がある。
【０００９】
従って、本発明の目的は、切目が形成されている光学フィルムを、ロールを有する搬送装置で搬送する場合において、搬送停止時にロールに架け渡された状態にある切目から光学フィルムのめくれが発生することを防止できる搬送装置を提供することである。
また他の目的は、搬送停止時に光学フィルムの切目からめくれを生じることなく光学表示パネルを連続生産することができる光学表示パネルの連続製造システムを提供することである。
【課題を解決するための手段】
【００１０】
上記課題を解決するために、鋭意研究を重ねた結果、以下の本発明を完成するに至ったものである。
【００１１】
本発明は、長手方向と直交する方向である幅方向に切目（Ｓ）を有する長尺の光学フィルムを搬送する搬送装置であって、
前記長尺の光学フィルムは、光学機能フィルムと、当該光学機能フィルムと粘着剤層を介して積層される離型フィルムとを少なくとも有し、前記離型フィルムを除く光学フィルムに切目が形成されており、
前記離型フィルムを内側にして前記長尺の光学フィルムが所定角度（θ）範囲で架け渡されながら所定方向に移動する単一の搬送方向変更ローラと、
前記搬送方向変更ローラを所定方向に移動させるローラ駆動部と、
前記長尺の光学フィルムの搬送が停止した際に、前記長尺の光学フィルムの前記搬送方向変更ローラに架け渡されている部分（ローラ接触部分）に前記切目が停止するか否かを判断する判断部と、
前記判断部の判断結果に基づいて、現実に搬送が停止した際に、前記搬送方向変更ローラに架け渡されている部分（ローラ接触部分）に前記切目が停止しないように、前記搬送方向変更ローラを前記所定方向に動かすように前記ローラ駆動部を制御するローラ駆動制御部と、を有する。
【００１２】
「所定角度範囲」は、搬送方向変更ローラを中心にして上流側の光学フィルムと下流側の光学フィルムとで形成される角度θ（図３参照）の範囲であって、０°より大きく１８０°以下であってもよい。θが０°は、上流側の光学フィルムと下流側の光学フィルムが一直線を意味し、θが１８０°は上流側の光学フィルムの搬送方向と下流側の光学フィルムの搬送方向が互いに平行でかつ逆向きになることを意味する。ガイドローラ同士の配置によっては角度θが１８０°を超える場合もある。角度θが搬送方向の変更範囲に相当する。
「所定方向」は、例えば、上方向あるいは下方向、搬送方向の上流側または下流側に沿って水平方向であってもよい。
【００１３】
上記発明の前記判断部は、所定の装置から搬送を停止するための停止信号を受けた場合に、現実に搬送が停止した際に、前記長尺の光学フィルムの前記搬送方向変更ローラに架け渡されている部分（ローラ接触部分）に前記切目が停止するか否かを判断（予測）してもよい。
【００１４】
上記発明の前記切目は、前記長尺の光学フィルムの長手方向に、一定間隔で形成されていてもよい。また、前記切目は、前記長尺の光学フィルムの長手方向に、複数の異なる間隔を含むように形成されていてもよい。
【００１５】
上記発明において、搬送方向の変更範囲としては、０°より大きく１８０°以下の範囲が例示される。
【００１６】
上記発明の前記単一の搬送方向変更ローラが、搬送装置に対し上下垂直方向または水平方向に可動するダンサローラの構成でもよい。前記単一の搬送方向変更ローラが、搬送方向と直交する軸周りに回転する構成でもよい。
ダンサローラが、前記長尺の光学フィルムの搬送路の長さである路長を変更する路長変更部を構成してもよい。路長変更部は、アキューム装置であってもよい。
【００１７】
上記発明において、切目が一定間隔であることで、ダンサローラの上方向あるいは下方向への移動量は予め一定値に設定される。
例えば、光学フィルム１枚分を光学セルに貼付する間に、上流ラインが停止していた場合、ダンサローラが１つだと、フィルム１枚分の半分だけダンサローラを上昇させ、ダンサローラが２つだと、フィルム１枚分の１／４だけダンサローラを上昇させるように制御できる。
【００１８】
また、いわゆるスキップカット方式のように切目が一定間隔でない箇所も含まれている場合であっても、ローラ接触部分に切目が停止するか否かを判断し、切目が停止するとの判断結果の場合に、単一の搬送方向変更ローラ（ダンサローラ）を所定方向（上方向または下方向）に予め設定された規定値から所定量分移動させる（あるいは規定値に達しないように所定量分の移動を減らす）ことで、ローラ接触部分に切目が停止しないように制御できる。
また、緊急時などの予期せぬ搬送停止の場合でも、ローラ接触部分に切目が停止する場合に、単一の搬送方向変更ローラ（ダンサローラ）を所定方向（上方向または下方向）に予め設定された規定値から所定量分移動させる（あるいは規定値から所定量分移動させないようにする）ことで、ローラ接触部分に切目が停止しないように制御できる。
【００１９】
上記発明において、前記長尺の光学フィルムの前記切目が一定間隔で形成される場合において、次の生産に使用される長尺の光学フィルムの前記切目の間隔（Ｄ２)が、先の生産に使用された切目の間隔（Ｄ１≠Ｄ２）から変更された場合に、前記長尺の光学フィルムの搬送が停止した際に、前記ローラに架け渡されている部分（ローラ接触部分）に前記切目が停止しないように、前記搬送方向変更ローラの配置を、前記長尺の光学フィルムの平面投影された搬送方向に沿って上流側または下流側に移動させて配置してもよい。
「平面投影」は、長尺の光学フィルムを装置が設置されている床などの平面に投影することで得られる。「平面投影された搬送方向に沿って上流側または下流側への移動」は、当該搬送方向に対し上下方向、左右方向を含まず、それに平行な一方向の移動を意味する。
【００２０】
ここで、次の生産に使用される長尺の光学フィルムの前記切目の間隔（Ｄ２)が、先の生産に使用された切目の間隔（Ｄ１≠Ｄ２）から変更された場合とは、
一定間隔の切目を形成するハーフカットにおいて、次の生産に使用される光学フィルムロールのハーフカットの切断間隔を先の生産に使用された光学フィルムロールのハーフカットの切断間隔から変更された場合、または、
予め一定間隔の切目が形成されている長尺の光学フィルムが巻回されている切目入り光学フィルムロールにおいて、次の生産に使用される切目入り光学フィルムロールの切目の一定間隔を先の生産に使用された切目入り光学フィルムロールの切目の一定間隔から変更された場合、を含む、構成であってもよい。
これにより、長尺の光学フィルムの仕様変更で、搬送方向変更ローラに切目が停止することが予め分かっている場合に、搬送方向変更ローラの搬送方向に対する位置を変更することで、搬送方向変更ローラの上下移動させる頻度を減らせる。切目が一定間隔に形成されている場合に特に有効であるが、切目が一定間隔に形成されていることが原則で、まれに間隔が小さいあるいは大きい場合でも有効である。
【００２１】
上記発明によれば、搬送停止する際に単一の搬送方向変更ローラが移動し、搬送方向変更ローラに切目が停止することがなく、光学フィルムのめくれ発生を好適に防止できる。
【００２２】
他の発明の搬送装置は、長手方向と直交する方向である幅方向に切目を有する長尺の光学フィルムを搬送する搬送装置であって、
前記長尺の光学フィルムは、光学機能フィルムと、当該光学機能フィルムと粘着剤層を介して積層される離型フィルムとを少なくとも有し、前記離型フィルムを除く光学フィルムに切目が一定間隔で形成されており、
前記離型フィルムを内側にして前記長尺の光学フィルムが所定角度範囲で架け渡される１つまたは１つ以上の搬送方向変更ローラと、を有し、
次の生産に使用される長尺の光学フィルムの前記切目の間隔（Ｄ２)が、先の生産に使用された切目の間隔（Ｄ１≠Ｄ２）から変更された場合に、前記長尺の光学フィルムの搬送が停止した際に、前記長尺の光学フィルムの前記搬送方向変更ローラに架け渡されている部分（ローラ接触部分）に前記切目が停止しないように、前記搬送方向変更ローラの配置を、前記長尺の光学フィルムの平面投影された搬送方向に沿って上流側または下流側に移動させて配置する。
「平面投影」は、長尺の光学フィルムを装置が設置されている床などの平面に投影することで得られる。「平面投影された搬送方向に沿って上流側または下流側への移動」は、当該搬送方向に対し上下方向、左右方向を含まず、それに平行な一方向の移動を意味する。
【００２３】
「所定角度範囲」は、搬送方向変更ローラを中心にして上流側の光学フィルムと下流側の光学フィルムとで形成される角度θ（図３参照）の範囲であって、０°より大きく１８０°以下であってもよい。θが０°は、上流側の光学フィルムと下流側の光学フィルムが一直線を意味し、θが１８０°は上流側の光学フィルムの搬送方向と下流側の光学フィルムの搬送方向が互いに平行でかつ逆向きになることを意味する。ガイドローラ同士の配置によっては角度θが１８０°を超える場合もある。角度θが搬送方向の変更範囲に相当する。
【００２４】
ここで、次の生産に使用される長尺の光学フィルムの前記切目の間隔（Ｄ２)が、先の生産に使用された切目の間隔（Ｄ１≠Ｄ２）から変更された場合とは、
一定間隔の切目を形成するハーフカットにおいて、次の生産に使用される光学フィルムロールのハーフカットの切断間隔を先の生産に使用された光学フィルムロールのハーフカットの切断間隔から変更された場合、または、
予め一定間隔の切目が形成されている長尺の光学フィルムが巻回されている切目入り光学フィルムロールにおいて、次の生産に使用される切目入り光学フィルムロールの切目の一定間隔を先の生産に使用された切目入り光学フィルムロールの切目の一定間隔から変更された場合、を含む構成であってもよい。
【００２５】
上記発明によれば、一定間隔の切目が形成されている長尺の光学フィルムの仕様変更で、搬送方向変更ローラに切目が停止することが予め分かっている場合に、搬送方向変更ローラの位置を、前記長尺の光学フィルムの平面投影された搬送方向に対して変更することで、搬送方向変更ローラに切目が停止することがなく、光学フィルムのめくれ発生を好適に防止できる。
【００２６】
他の発明の光学表示パネルの連続製造システムは、光学機能フィルムを少なくとも有する第一光学フィルムを光学セルの第一面に貼り合せ、かつ光学機能フィルムを少なくとも有する第二光学フィルムを光学セルの第二面に貼り合せて光学表示パネルを製造する製造装置と、
前記搬送装置と、を備える。
【００２７】
上記発明において、前記製造装置は、
第一光学フィルムロールから第一長尺光学フィルムを繰り出しながら長尺の第一離型フィルムを残し前記第一長尺光学フィルムを切断して得られる枚葉状の第一光学フィルムを、搬送される前記光学セルの前記第一面に貼り付ける、または、枚葉状の第一光学フィルムを前記光学セルの第一面に貼り付ける、
および／または
第二光学フィルムロールから第二長尺光学フィルムを繰り出しながら長尺の第二離型フィルムを残し前記第二長尺光学フィルムを切断して得られる枚葉状の第二光学フィルムを、前記第一光学フィルムの光軸と前記第二光学フィルムの光軸とが所定の角度配置となるように、搬送される前記光学セルの前記第二面に貼り付ける、または、枚葉状の第二光学フィルムを前記第一光学フィルムの光軸と前記第二光学フィルムの光軸とが所定の角度配置となるように前記光学セルの前記第二面に貼り付ける、構成であってもよい。
【００２８】
上記発明によれば、搬送停止時に光学フィルムの切目からめくれを生じることなく光学表示パネルを連続生産することができる。
【００２９】
本発明において、「光学フィルムロール」は、長尺の離型フィルムと、長尺の光学フィルム（粘着剤層、光学機能フィルムおよび表面保護フィルム）がこの順に積層されて、ロール状に構成されている。
「ロール・トゥ・パネル方式」は、光学フィルムロールから繰り出された離型フィルムおよび長尺光学フィルムを、離型フィルムを残しつつ粘着剤層、光学機能フィルム及び表面保護フィルムを幅方向に切断（ハーフカット）し、切断して得られた枚葉状の光学フィルムから長尺の離型フィルムを剥離し、露出した粘着剤層を介して枚葉状の光学フィルムを光学セルに貼り合わせる方式である。
【００３０】
一方、ロール・トゥ・パネル方式とは異なる光学フィルムの貼合方式として、「シート・トゥ・パネル方式」がある。「シート・トゥ・パネル方式」は、予め枚葉状態にしておいた枚葉状の光学フィルムを、枚葉状の離型フィルムまたは長尺の離型フィルムを剥離して露出した粘着剤層を介して光学セルに貼り合わせる方式である。
「切目入り光学フィルムロール」は、長尺の離形フィルムに枚葉状の光学フィルム（粘着剤層、光学機能フィルムおよび表面保護フィルム）が長手方向に並んで積層されて、ロール状に構成されているロールである。
【図面の簡単な説明】
【００３１】
【図１Ａ】実施形態１の光学表示パネルの連続製造システムの一例を示した概略図。
【図１Ｂ】実施形態１の光学表示パネルの連続製造システムの一例を示した概略図。
【図２】ダンサローラの移動の状態を示す図。
【図３】角度θを説明するための図
【図４Ａ】実施形態２の光学表示パネルの連続製造システムの一例を示した概略図。
【図４Ｂ】実施形態２の光学表示パネルの連続製造システムの一例を示した概略図。
【発明を実施するための形態】
【００３２】
（実施形態１）
以下、図１Ａ、１Ｂ、２を参照しながら、光学表示パネルの連続製造システムおよび連続製造方法をさらに具体的に説明するが、本発明は本実施形態の態様に限定されるものではない。
光学表示パネルは液晶表示パネル、光学セルは液晶セル、光学フィルムは偏光フィルムとして説明する。
【００３３】
本実施形態の液晶表示パネルの連続製造システムは、連続製造装置１００を有する。連続製造装置１００は、第一光学フィルムロールＲ１から第一長尺離型フィルム１２および第一長尺偏光フィルム１１を繰り出しながら、第一長尺偏光フィルム１１を切断加工して得られる第一枚葉状偏光フィルム１１１を液晶セル５の第一面５ａに貼り付ける。また、連続製造装置１００は、第二光学フィルムロールＲ２から第二長尺離型フィルム２２および第二長尺偏光フィルム２１をそれぞれ繰り出しながら、第二長尺偏光フィルム２１を切断加工して得られる第二枚葉状偏光フィルム２１１を、第一枚葉状偏光フィルム１１１の吸収軸と第二枚葉状偏光フィルム２１１の吸収軸とが互いに直交するように、液晶セル５の第二面５ｂに貼り付けて液晶表示パネルＹを製造する。
【００３４】
液晶表示パネルの連続製造システムは、連続製造装置１００が液晶セル５および液晶表示パネルＹを搬送する一連のパネル搬送装置１２０に配置されている。パネル搬送装置１２０のラインはｘで直線に描かれているが、直線に限定されるものではない。
【００３５】
（光学フィルムロール）
長尺偏光フィルムを巻回してなる光学フィルムロールとしては、例えば、（１）離型フィルムと当該離型フィルム上に形成された粘着剤層を含む長尺偏光フィルムとを有する、連続ウエブ形態の長尺光学フィルム積層体をロール状に巻いたものが挙げられる。この場合、液晶表示パネルの連続製造システムは、長尺偏光フィルムから枚葉状の偏光フィルム（シート片）を形成するために、離型フィルムを残して長尺偏光フィルム（粘着剤層を含む）を所定間隔に離型フィルムの送り方向に直交する方向に切断（ハーフカット）する（切目を形成する）切断装置を有する。
また、光学フィルムロールとして、例えば、（２）離型フィルムと離型フィルム上に離型フィルムの送り方向に直交する方向に切目を介して互いに隣り合う枚葉状の偏光フィルム（粘着剤層を含む）とを有する長尺光学フィルム積層体をロール状に巻いたもの（いわゆる切目入り偏光フィルムロール）が挙げられる。
【００３６】
図１Ａに示す第一光学フィルムロールＲ１は、第一長尺離型フィルム１２と、第一長尺離型フィルム１２に粘着剤層を介して形成された送り方向（長手方向）に平行な吸収軸を有する第一長尺偏光フィルム（その粘着剤層を含む）１１を有する第一長尺光学フィルム積層体１０をロール状に巻いたものである。
図１Ｂに示す第二光学フィルムロールＲ２は、第二長尺離型フィルム２２と、第二長尺離型フィルム２２に粘着剤層を介して形成された送り方向（長手方向）に平行な吸収軸を有する第二長尺偏光フィルム（その粘着剤層を含む）２１を有する第二長尺光学フィルム積層体２０をロール状に巻いたものである。
【００３７】
第一、第二長尺偏光フィルム１１、２１は、例えば、偏光子（厚さは５〜８０μｍ程度）と、偏光子の片面または両面に偏光子保護フィルム（厚さは一般的に１〜５００μｍ程度）が接着剤または接着剤なしで形成される。
第一、第二長尺偏光フィルム１１、２１を構成する他のフィルムとして、例えば、位相差フィルム（厚さは一般的に１０〜２００μｍ）、視角補償フィルム、輝度向上フィルム、表面保護フィルム等が挙げられる。第一、第二長尺偏光フィルム１１、２１の厚みは、例えば、１０μｍ〜５００μｍの範囲が挙げられる。
【００３８】
第一、第二長尺偏光フィルム１１、２１の粘着剤層を構成する粘着剤は、特に制限されず、例えば、アクリル系粘着剤、シリコーン系粘着剤、ウレタン系粘着剤等が挙げられる。粘着剤層の厚みは、例えば、１０〜５０μｍの範囲が好ましい。第一、第二離型フィルム１２、２２は、例えばプラスチックフィルム（例えば、ポリエチレンテレフタレート系フィルム、ポリオレフィン系フィルム等）等の従来公知のフィルムを用いることができる。また、必要に応じシリコーン系や長鎖アルキル系、フッ素系や硫化モリブデン等の適宜な剥離剤でコート処理したものなどの、従来に準じた適宜なものを用いてもよい。
【００３９】
（液晶表示パネル）
液晶表示パネルＹは、液晶セル５の片面または両面に少なくとも偏光フィルムが形成されたものであり、必要に応じて駆動回路が組込まれる。液晶セル５は、例えば、垂直配向（ＶＡ）型、面内スイッチング（ＩＰＳ）型などの任意なタイプのものを用いることができる。液晶セル５は、対向配置される一対の基板（第１基板５ａ、第２基板５ｂ）間に液晶層が封止された構成である。
【００４０】
（連続製造装置）
連続製造装置１００は、第一離型フィルム搬送装置１１０と、第一貼付部８０と、第二離型フィルム搬送装置２１０と、第二貼付部２８０とを有する。
【００４１】
図１Ａに示すように、第一離型フィルム搬送装置１１０は、第一光学フィルムロールＲ１から第一長尺離型フィルム１２および第一長尺偏光フィルム１１（第一長尺光学フィルム積層体１０）を繰り出しながら第一貼付部８０へ搬送する。
本実施形態では、第一離型フィルム搬送装置１１０は、第一路長変更部Ａ１、第一切断部４０、第二路長変更部Ｂ１、第一剥離部５０、第一巻取部６１を有する。
【００４２】
第一路長変更部Ａ１は、複数の搬送方向変更ローラを有して構成される。複数の搬送方向変更ローラは、第一長尺離型フィルム１２を外側にして第一長尺偏光フィルム１１（第一長尺光学フィルム積層体１０）が架け渡されるガイドローラ（上流側ローラと下流側ローラ）と、上下移動可能な第一、第二ダンサローラ３１、３２、および、第一長尺離型フィルム１２を内側にして第一長尺偏光フィルム１０（第一長尺光学フィルム積層体１０）が架け渡される第一、第二、第三ガイドローラ（不図示）を有する。
【００４３】
第一切断部４０は、第一吸着部４０ａで第一長尺離型フィルム１２側から第一長尺光学フィルム積層体１０を固定しておいて、第一長尺離型フィルム１２を残しながら第一長尺偏光フィルム（粘着剤層含む）１１をその幅方向に切断し、第一長尺離型フィルム１２上に第一枚葉状偏光フィルム１１１を形成する。
第一切断部４０としては、例えばカッター、レーザー装置などが挙げられる。第一吸着部４０ａとしては、例えば真空ポンプと接続された多数の孔を有し、孔から空気を負圧吸引できる吸着板であってもよい。
【００４４】
第二路長変更部Ｂ１は、単一の搬送方向変更ローラを有する。搬送方向変更ローラは、第一長尺離型フィルム１２を内側にして第一長尺偏光フィルム１１（第一長尺光学フィルム積層体１０）が架け渡される、上下移動可能な調整ダンサローラ３６で構成される。第二路長変更部Ｂ１は、ガイドローラを有していてもよい。調整ダンサローラ３６の具体的制御方法は後述する。
【００４５】
第一離型フィルム搬送装置１１０は、第一切断部４０と第二路長変更部Ｂ１との間に、一対のガイドローラ３４、３５を有していてもよい。一対のガイドローラ３４、３５のいずれか一方あるいは両方が駆動ローラであってもよい。
また、第一離型フィルム搬送装置１１０は、第二路長変更部Ｂ１と第一剥離部５０との間に、ガイドローラ３８、３９を有していてもよい。
本実施形態において、第一切断部４０より下流において、第一長尺離型フィルム１２を内側にして第一長尺偏光フィルム１１（第一長尺光学フィルム積層体１０）が架け渡されるローラは、調整ダンサローラ３６のみであるがこれに限定されない。
本実施形態において、第二路長変更部Ｂ１よりも下流側のガイドローラは全て第一長尺離型フィルム１２を外側にして第一長尺偏光フィルム１１（第一長尺光学フィルム積層体１０）が架け渡されるローラである。
【００４６】
第一剥離部５０は、その先端部で第一長尺離型フィルム１２を内側にして折り返して、第一長尺離型フィルム１２から第一枚葉状偏光フィルム１１１を剥離する。剥離された第一枚葉状偏光フィルム１１１は、第一貼付部８０に供給される。
本実施形態では、第一剥離部５０としては、その先端部に先鋭ナイフエッジ部を用いているが、これに限定されるものではない。
【００４７】
第一巻取部６１は、第一枚葉状偏光フィルム１１１が剥離された第一長尺離型フィルム１２を巻き取る。第一巻取部６１は、自動回転ローラで構成されてもよい。
【００４８】
第一貼付部８０は、パネル搬送装置１２０により搬送された液晶セル５の一方面（第一面５ａ）から、第一剥離部５０により第一長尺離型フィルム１２が剥離された第一枚葉状偏光フィルム１１１を粘着剤層を介して貼り付ける。
本実施形態では、第一貼付部８０は、第一貼付ローラ８１、第一駆動ローラ８２で構成される。
【００４９】
図１Ｂに示すように、液晶セル５の他方面（第二面５ｂ）に第二枚葉状偏光フィルム２１１を貼り付けるための各種装置は、上記で説明した各種構成要素、装置等を用いることができる。
第二離型フィルム搬送装置２１０は、第二光学フィルムロールＲ２から第二長尺離型フィルム２２および第二長尺偏光フィルム２１（第二長尺光学フィルム積層体２０）を繰り出しながら第二貼付部２８０へ搬送する。
本実施形態では、第二離型フィルム搬送装置２１０は、第三路長変更部Ａ２、第二切断部２４０、第四路長変更部Ｂ２、第二剥離部２５０、第二巻取部２６１を有する。
第二離型フィルム搬送装置２１０は、第一離型フィルム搬送装置１１０と同様の装置で構成でき、第二貼付部２８０は、第一貼付部８０と同様の装置で構成できる。
例えば、第三路長変更部Ａ２は、第一路長変更部Ａ１と同様の装置で構成できる。
第二切断部２４０および第二吸着部２４０ａは、第一切断部４０および第二吸着部４０ａと同様の装置で構成できる。
第四路長変更部Ｂ２は、第二路長変更部Ｂ１と同様の装置で構成できる。
第二巻取部２６１は、第一巻取部６１と同様の装置で構成できる。
第二貼付ローラ２８１および第二駆動ローラ２８２は第一貼付ローラ８１および第一駆動ローラ８２と同様の機構で構成できる。
【００５０】
第四路長変更部Ｂ２は、単一の搬送方向変更ローラを有する。搬送方向変更ローラは、第二長尺離型フィルム２２を内側にして第二長尺偏光フィルム２１（第二長尺光学フィルム積層体２０）が架け渡される、上下移動可能な調整ダンサローラ２３６で構成される。第四路長変更部Ｂ２は、ガイドローラを有していてもよい。
【００５１】
第二離型フィルム搬送装置２１０は、第二切断部２４０と第四路長変更部Ｂ２との間に、一対のガイドローラ２３４、２３５を有していてもよい。一対のガイドローラ２３４、２３５のいずれか一方あるいは両方が駆動ローラであってもよい。
また、第二離型フィルム搬送装置２１０は、第四路長変更部Ｂ２と第二剥離部２５０との間に、ガイドローラ２３８、２３９を有していてもよい。
本実施形態において、第二切断部２４０より下流において、第二長尺離型フィルム２２を内側にして第二長尺偏光フィルム２１（第二長尺光学フィルム積層体２０）が架け渡されるローラは、調整ダンサローラ２３６のみであるがこれに限定されない。
本実施形態において、第四路長変更部Ｂ２よりも下流側のガイドローラは全て第二長尺離型フィルム２２を外側にして第二長尺偏光フィルム２１（第二長尺光学フィルム積層体２０）が架け渡されるローラである。
【００５２】
パネル搬送装置１２０は、液晶セル５、液晶セル５の両面に第一、第二枚葉状偏光フィルム１１１、２１１を貼り付けた液晶表示パネルＹを搬送する一連の搬送装置である。このパネル搬送装置１２０は、例えば、搬送ローラ、吸着プレート等を有して構成される。本実施形態では、パネル搬送装置１２０には、第一枚葉状偏光フィルム１１１が貼り付けられた液晶セル５を９０°水平回転させる旋回機構と、第一枚葉状偏光フィルム１１１が貼り付けられた液晶セル５を上下反転させる反転機構が備えられている。
【００５３】
（調整ダンサローラの制御方法）
ローラ駆動部３０１は、調整ダンサローラ３６を所定方向（本実施形態では上方向あるいは下方向）に移動させる。ローラ駆動部３０１は、例えばエアシリンダー、油圧シリンダー、電動シリンダーなどの直動アクチュエータが挙げられるが、これに限定されない。
また、調整ダンサローラ３６をガイドを介して錘で引き上げることで上向きの張力を常に作用させる構成を用いてもよい。錘によって長尺偏光フィルムに常に張力をかけた状態を維持することができ、調整ダンサローラ前後のフィルム送り量に合わせて調整ダンサローラを上下動できる。
【００５４】
判断部３０３は、第一長尺偏光フィルム１１（第一長尺光学フィルム積層体１０）の搬送が停止した際に、第一長尺偏光フィルム１１の調整ダンサローラ３６に架け渡されている部分（ローラ接触部分３６１ａ）に切目Ｓが停止するか否かを判断する。
【００５５】
ローラ駆動制御部３０２は、判断部３０３の判断結果に基づいて、現実に搬送が停止した際に、調整ダンサローラ３６に架け渡されている部分（ローラ接触部分３６１ａ）に切目Ｓが停止しないように、調整ダンサローラ３６を所定方向（本実施形態では上方向あるいは下方向）に動かすようにローラ駆動部３０１を制御する。
【００５６】
例えば、判断部３０３は、予め取得した切目Ｓの位置データに基づいて、ローラ接触部分３６１ａに切目Ｓが位置するか否かを判断してもよい。
切目Ｓの位置データは、第一長尺偏光フィルム１１をその幅方向に切断処理した際の切断位置データから求めたものでもよく、切目Ｓを形成した後で撮像部で撮像した切目位置を特定する画像データから求めたものでもよく、光学センサで切目位置を検出した検出データから求めたものでもよい。
なお、第一切断部４０を有さず、切目入りの第一長尺偏光フィルムをロール状に巻回した光学フィルムロールであれば、切目の位置データを記憶している記憶媒体（ローカルＰＣあるいはサーバの各メモリ、無線タグなど）あるいはコードデータ（ＱＲコード（登録商標）、バーコードなど）から取得してもよい。
また、判断部３０３は、第一長尺光学フィルム積層体１０の搬送を停止した時に、少なくともローラ接触部分３６１ａを撮像部で撮像した画像データを解析し、切目Ｓがローラ接触部分３６１ａに位置しているか否かを判断してもよい。
第一長尺光学フィルム積層体１０の搬送の停止としては、例えば、オペレータの操作による搬送停止、第一貼付部８０による第一枚葉状偏光フィルム１１１を液晶セル５に貼付処理する際の搬送停止、作業終了時の搬送停止などが例示される。
【００５７】
切目の間隔が一定である場合には、第一貼付部８０による貼付処理において第一枚葉状偏光フィルム１１１の搬送方向長さがすべて同じであるため、切目Ｓがローラ接触部分３６１ａに位置するか否かは予め判明している。例えば、第一枚葉状偏光フィルムを１枚分液晶セル５に貼付する間に、上流搬送ラインが停止していた場合、調整ダンサローラ３６が１つだと、第一枚葉状偏光フィルム１枚分の半分だけ調整ダンサローラ３６を下降させ、調整ダンサローラが２つだと、第一枚葉状偏光フィルム１枚分の１／４だけ調整ダンサローラを下降させるように制御する。
切目の間隔が一定である場合でも、フィルム搬送が緊急停止した場合に、判断部３０３が上述の通りローラ接触部分３６１ａに切目Ｓが位置するか否かを判断し、切目Ｓがローラ接触部分３６１ａの位置で停止しないように調整ダンサローラ３６を上移動または下移動したり、上流側搬送量を制御する。
すなわち、切目の停止位置をズラすために、上流側ラインを少し搬送させることで調整ダンサローラ３６の下降量を少し減らすように制御したり、そもそもの上流側搬送量を少なくして、調整ダンサローラ３６の下降量を少し増やすように制御する。
【００５８】
第一長尺偏光フィルム１０に存在する欠点を考慮して切目位置を変更する、いわゆるスキップカット方式では、切目の間隔が狭くなる箇所が存在し、切目がローラ接触部分に位置する場合とそうでない場合が生じる。この場合でも、判断部３０３が、切断位置データ（切目の位置データ）からフィルム搬送を停止するタイミングで切目がローラ接触部分に位置するか否かを判断し、切目Ｓがローラ接触部分３６１ａの位置で停止しないように調整ダンサローラ３６を上移動または下移動したり、上流側搬送量を制御する。
【００５９】
図２に示す通り、フィルム搬送停止時に、切目Ｓ２が接触部分３６１ａに位置すると判断された場合に、調整ダンサローラ３６の上流側搬送量を少なくし、その分調整ダンサローラ３６を、第一位置Ｐ１から第二位置Ｐ２に距離Ｌ１だけ下移動させる。その結果、切目Ｓ２は搬送方向の上流側（第一切断部４０側）で停止する。
【００６０】
図１Ｂに示す、第四路長変更部Ｂ２の調整ダンサローラ２３６は、上記調整ダンサローラ３６と同様に制御される。また、調整ダンサローラ２３６の駆動制御をするために、上述したローラ駆動部３０１、ローラ駆動制御部３０２、判断部３０３と同様の構成も有している。
【００６１】
（実施形態２）
以下、図４Ａ、４Ｂを参照しながら、別実施形態を説明する。図１Ａ，図１Ｂと同じ符号は、上記と同様の構成を有するので、説明を省略するか簡単に説明する。
実施形態２では、第一、第二長尺離型フィルムを除く第一、第二枚葉状偏光フィルムの切断幅、いわゆる切目Ｓが一定間隔に形成されている。
次の生産に使用される切目の間隔（Ｄ２)が、先の生産に使用された切目の間隔（Ｄ１≠Ｄ２）から変更された場合に、ローラ接触部分に切目が停止しないように、第二路長変更部Ｂ１の調整ダンサローラと第四路長変更部Ｂ２の調整ダンサローラの配置を、平面投影されたフィルム搬送方向に沿って上流側に移動させる。なお、別実施形態として下流側に移動させてもよい。
【００６２】
生産時には、第二路長変更部Ｂ１が不図示のレール上に固定され、配置を替える時に、フィルム搬送方向に沿ってレール上を移動できる車輪を有して構成されていてもよく、レール上ではなく床を転がる車輪を有する構成であってもよい。
【００６３】
図４Ａ，４Ｂにおいて、第二、第四路長変更部Ｂ１、Ｂ２は、それぞれ単一の調整ダンサローラを有する構成であるがこれに限定されず、複数のダンサローラを有する構成（例えば第一、第三路長変更部Ａ１、Ａ２）であってもよい。
【００６４】
（実施形態３）
上記実施形態１において、第一、第二長尺離型フィルムを除く第一、第二枚葉状偏光フィルムの切断幅、いわゆる切目Ｓが一定間隔に形成されている場合に、次の生産に使用される切目の間隔（Ｄ２)が、先の生産に使用された切目の間隔（Ｄ１≠Ｄ２）から変更された場合に、ローラ接触部分に切目が停止しないように、第二路長変更部Ｂ１の調整ダンサローラと第四路長変更部Ｂ２の調整ダンサローラの配置を、平面投影されたフィルム搬送方向に沿って上流側または下流側に移動させてもよい。
通常時は、フィルム搬送停止で切目がローラ接触部分に位置することはないが、フィルム搬送が緊急停止した場合には、判断部が通りローラ接触部分に切目が位置するか否かを判断し、切目がローラ接触部分の位置で停止しないように調整ダンサローラを上移動または下移動するように制御される。
【００６５】
（液晶表示パネルの連続製造方法）
液晶表示パネルの連続製造方法は、光学機能フィルム（例えば偏光フィルム）を少なくとも有する第一光学フィルムを光学セルの第一面に貼り合せ、かつ光学機能フィルム（例えば偏光フィルム）を少なくとも有する第二光学フィルムを光学セルの第二面に貼り合せて液晶表示パネルを製造する製造工程を含む。
製造工程は、
前記離型フィルムを内側にして前記長尺の光学フィルムが所定角度（θ）範囲で架け渡されながら単一の搬送方向変更ローラを所定方向（上方向あるいは下方向）に移動する工程と、
前記長尺の光学フィルムの搬送が停止した際に、前記長尺の光学フィルムの前記搬送方向変更ローラに架け渡されている部分（ローラ接触部分）に切目が停止するか否かを判断する判断工程と、
前記判断工程の判断結果に基づいて、現実に搬送が停止した際に、前記搬送方向変更ローラに架け渡されている部分（ローラ接触部分）に前記切目が停止しないように、前記搬送方向変更ローラを前記所定方向（上方向あるいは下方向）に動かす工程と、を含む。
【００６６】
また、前記長尺の光学フィルムの前記切目が一定間隔で形成される場合において、次の生産に使用される長尺の光学フィルムの前記切目の間隔（Ｄ２)が、先の生産に使用された切目の間隔（Ｄ１≠Ｄ２）から変更された場合に、前記長尺の光学フィルムの搬送が停止した際に、前記ローラに架け渡されている部分（ローラ接触部分）に前記切目が停止しないように、前記搬送方向変更ローラの配置を、前記長尺の光学フィルムの平面投影された搬送方向に沿って上流側または下流側に移動させて配置する工程をさらに含んでもよい。
【００６７】
（別実施形態）
本実施形態では、液晶セル５の下側から第一枚葉状偏光フィルム１１１を貼り付けて、次いで、第一枚葉状偏光フィルム１１１を貼り付けた液晶セル５を反転（裏表反転、必要に応じて９０°旋回）させて、当該液晶セル５の下側から第二枚葉状偏光フィルム２１１を貼り付けている。しかし、液晶セル５の上側から第一枚葉状偏光フィルムを貼り付け、液晶セル５を反転させて、液晶セル５の上側から第二枚葉状偏光フィルムを貼り付けてもよく、液晶セルの上側から第一枚葉状偏光フィルムを貼り付け、液晶セルを反転させないで、液晶セルの下側から第二枚葉状偏光フィルムを貼り付けてもよく、液晶セルの下側から第一枚葉状偏光フィルムを貼り付け、液晶セルを反転させないで、液晶セルの上側から第二枚葉状偏光フィルムを貼り付けてもよい。また、液晶セルの上側および下側から第一枚葉状偏光フィルムおよび第二枚葉状偏光フィルムを同時に貼り付けてもよい。
【００６８】
また、本実施形態では、いわゆる「ロール・トゥ・パネル方式」で光学セルの両面に光学フィルムを貼りつける構成を例示したが、これに制限されず、「シート・トゥ・パネル方式」で光学セルの両面に光学セルを貼り付けてもよく、光学セルの一方面を「ロール・トゥ・パネル方式」で、他方面を「シート・トゥ・パネル方式」でそれぞれ光学フィルムを貼り付けてもよい。
【００６９】
また、本実施形態では、光学フィルムロールを用いたが、ロール状の光学フィルムの構成はこれに限定されず、いわゆる「切目入り光学フィルムロール」を用いてもよい。
【００７０】
また、本実施形態では、光学フィルムロールから繰り出された長尺偏光フィルムを所定間隔で切断するものであったが、本発明はとくにこの構成に制限されない。例えば、光学フィルムロールから繰り出された長尺偏光フィルムを欠点検査し、当該検査結果に基づいて欠点を避けるように切断（いわゆるスキップカット）してもよい。また、長尺偏光フィルムに予め付された欠点情報または欠点位置に付されたマークを読み取り、当該欠点情報またはマークに基づいて欠点を避けるように切断してもよい。
【００７１】
また、本実施形態では、長尺偏光フィルムが長手方向に平行な吸収軸を有するが、長尺偏光フィルムの吸収軸方向はこれに限定されない。例えば、第一長尺偏光フィルムがその短手方向（幅方向）に平行な吸収軸を有し、第二長尺偏光フィルムがその長手方向に平行な吸収軸を有していてもよい。この場合、第一枚葉状偏光フィルムが貼り付けられた液晶セルを９０°水平回転させる旋回機構を適宜省略することができる。
【００７２】
また、本実施形態では、光学セルとして液晶セルを例示したがこれに限定されず、光学セルは有機ＥＬセルでもよい。
有機ＥＬセルは、一対の電極間に電界発光層が挟持された構成である。有機ＥＬセルは、例えば、トップエミッション方式、ボトムエミッション方式、ダブルエミッション方式などの任意のタイプのものを用いることができる。有機ＥＬ表示パネルは、有機ＥＬセルの片面または両面に偏光フィルムが貼り合わされたものであり、必要に応じて駆動回路が組込まれる。
【符号の説明】
【００７３】
３６      調整ダンサローラ
３６１ａ  ローラ接触部分
３０１    ローラ駆動部
３０２    ローラ駆動制御部
３０３    判断部
【図１Ａ】
2019135186.tif 000003
【図１Ｂ】
2019135186.tif 000004
【図２】
2019135186.tif 000005
【図３】
2019135186.tif 000006
【図４Ａ】
2019135186.tif 000007
【図４Ｂ】
2019135186.tif 000008